(57)【要約】【課題】  光源と導光体との位置関係を良好に保ちつつ、光利用効率の低下を抑制することが可能な照明装置及びそれを備える画像読取装置を提供すること。【解決手段】  照明装置１０３は、第１の方向に配列される複数の光源１１１と、複数の光源１１１からの光を被照射面に導く導光体１１７と、複数の光源１１１及び導光体１１７を保持する保持部材１１３と、第１の方向において隣接する光源の間に配置され、導光体１１７と保持部材１１３とを接続する複数の接続部１１４と、を備えることを特徴とする。【選択図】  図３
2018088613.tif 000002
【特許請求の範囲】
【請求項１】
第１の方向に配列される複数の光源と、
該複数の光源からの光を被照射面に導く導光体と、
前記複数の光源及び前記導光体を保持する保持部材と、
前記第１の方向において隣接する光源の間に配置され、前記導光体と前記保持部材とを接続する複数の接続部と、を備えることを特徴とする照明装置。
【請求項２】
前記光源及び前記導光体は、前記保持部材における同一面により保持されていることを特徴とする請求項１に記載の照明装置。
【請求項３】
前記保持部材は、前記光源が実装される基板であることを特徴とする請求項１又は２に記載の照明装置。
【請求項４】
前記導光体及び前記保持部材の少なくとも一方を他方に対して押圧する押圧部材を備えることを特徴とする請求項１に記載の照明装置。
【請求項５】
前記押圧部材は、前記導光体を前記保持部材に対して押圧することを特徴とする請求項４に記載の照明装置。
【請求項６】
前記押圧部材は、前記導光体に接する凸部を有することを特徴とする請求項５に記載の照明装置。
【請求項７】
前記押圧部材は、前記凸部を複数有しており、該複数の凸部の夫々は、前記第１の方向において隣接する光源の間に配置されていることを特徴とする請求項６に記載の照明装置。
【請求項８】
前記押圧部材は、前記保持部材を前記導光体に対して押圧することを特徴とする請求項４に記載の照明装置。
【請求項９】
前記導光体と前記押圧部材とは、一体的に形成されていることを特徴とする請求項８に記載の照明装置。
【請求項１０】
前記押圧部材は、前記導光体を構成する材料と同じ材料で構成されていることを特徴とする請求項８又は９に記載の照明装置。
【請求項１１】
前記押圧部材を複数備えることを特徴とする請求項４乃至１０の何れか１項に記載の照明装置。
【請求項１２】
前記複数の押圧部材の夫々は、前記第１の方向において隣接する光源の間に配置されていることを特徴とする請求項１１に記載の照明装置。
【請求項１３】
前記複数の接続部は、前記保持部材を構成する材料と同じ材料で構成されていることを特徴とする請求項１乃至１２の何れか１項に記載の照明装置。
【請求項１４】
前記保持部材は、前記光源が実装される基板であり、前記複数の接続部は、前記基板に設けられたテストランドで構成されることを特徴とする請求項１乃至１２の何れか１項に記載の照明装置。
【請求項１５】
前記複数の接続部は、前記保持部材に印刷されたインクで構成されることを特徴とする請求項１乃至１２の何れか１項に記載の照明装置。
【請求項１６】
請求項１乃至１５の何れか１項に記載の照明装置と、前記被照射面からの光を受光する受光部と、前記被照射面からの光を前記受光部に導く結像部と、を備えることを特徴とする画像読取装置。
【発明の詳細な説明】
【技術分野】
【０００１】
本発明は、照明装置に関し、例えば、イメージスキャナー、複写機、ファクシミリなどの画像読取装置に好適なものである。
【背景技術】
【０００２】
線順次方式の画像読取装置に用いられる照明装置として、ＬＥＤ（Ｌｉｇｈｔ  Ｅｍｉｔｔｉｎｇ  Ｄｉｏｄｅ）などの点状光源を複数配列することで、擬似的に線状照明を行うものが知られている。照明装置においては、各光源からの光を効率良く被照射面（原稿面）に導くために、透光性部材から成る導光体が用いられる。
【０００３】
導光体の光利用効率を高めるためには、光源と導光体の入射面との位置関係を正確に保つことが求められる。特許文献１には、接着剤や両面テープなどの固定部材を用いて、ＬＥＤが実装される基板上に導光体を密着させて固定することで、光源と導光体との位置関係を保持した構成が記載されている。また、特許文献２には、押圧部材によって導光体を押圧することで、固定部材を用いずに導光体を基板に固定した構成が記載されている。
【先行技術文献】
【特許文献】
【０００４】
【特許文献１】特開２００６−３５２３１０号公報
【特許文献２】特開２０１５−１６７４０９号公報
【発明の概要】
【発明が解決しようとする課題】
【０００５】
特許文献１及び２に記載の構成においては、固定部材又は基板と導光体との界面が空気では無くなるため、導光体の入射面に入射した光の一部は、その界面を透過して固定部材又は基板に入射する。ここで、固定部材又は基板の表面を鏡面にすることは困難であるため、固定部材又は基板に到達した光は、その表面で乱反射（拡散反射）するか吸収されてしまう。乱反射した光の一部は、導光体における基板とは反対側の面から外部に漏れてしまうため、被照射面に導光される光が減少して導光体の光利用効率が低下してしまう。
【０００６】
本発明の目的は、光源と導光体との位置関係を良好に保ちつつ、光利用効率の低下を抑制することが可能な照明装置及びそれを備える画像読取装置を提供することである。
【課題を解決するための手段】
【０００７】
上記目的を達成するための、本発明の一側面としての照明装置は、第１の方向に配列される複数の光源と、該複数の光源からの光を被照射面に導く導光体と、前記複数の光源及び前記導光体を保持する保持部材と、前記第１の方向において隣接する光源の間に配置され、前記導光体と前記保持部材とを接続する複数の接続部と、を備えることを特徴とする。
【発明の効果】
【０００８】
本発明によれば、光源と導光体との位置関係を良好に保ちつつ、光利用効率の低下を抑制することが可能な照明装置及びそれを備える画像読取装置を提供することができる。
【図面の簡単な説明】
【０００９】
【図１】実施例１に係る画像読取装置の要部概略図
【図２】実施例１に係る照明装置の要部斜視図
【図３】実施例１に係る照明装置の要部断面図
【図４】実施例１に係る保持部材に設けられる光源部及び接続部の要部概略図
【図５】実施例２に係る照明装置の要部斜視図
【図６】実施例２に係る照明装置の要部断面図
【図７】実施例２に係る保持部材に設けられる光源部及び接続部の要部概略図
【図８】実施例３に係る照明装置の要部斜視図
【図９】実施例３に係る照明装置の要部断面図
【図１０】実施例３に係る保持部材に設けられる光源部及び接続部の要部概略図
【図１１】比較例１に係る照明装置の要部断面図
【図１２】比較例１及び２に係る保持部材に設けられる光源部の要部概略図
【図１３】比較例２に係る照明装置の要部断面図
【発明を実施するための形態】
【００１０】
以下、本発明の好ましい実施形態について図面を参照しながら説明する。なお、各図面は、便宜的に実際とは異なる縮尺で描かれている場合がある。また、各図面において、同一の部材については同一の参照番号を付し、重複する説明を省略する。
【００１１】
［実施例１］
以下、本発明の実施例１に係る照明装置及び画像読取装置について詳細に説明する。
【００１２】
（画像読取装置）
図１は、本実施例に係る画像読取装置１００の要部概略図（ＺＸ断面図）である。画像読取装置１００は、照明装置１０３、反射光学系１０４、結像光学系１０６（結像部）、及び受光部１０５、の夫々を一体的に保持するキャリッジ１０７（読取ユニット）と、原稿台１０２と、駆動部１０８と、を備える。
【００１３】
原稿台１０２は、原稿１０１を載置するための台であり、アクリル樹脂、ポリエステル樹脂、ポリカーボネイト樹脂やガラスなどの透光性を有する材料（透光性部材）から成る。受光部１０５は、原稿１０１からの光を受光するイメージセンサから成る。イメージセンサとしては、ＣＣＤイメージセンサやＣＭＯＳイメージセンサ等を採用することができる。それらは、複数の画素がＹ方向に一列に並んだラインセンサだけでなく、ＲＧＢの３つの画素を単位としたものがＹ方向に一列に並んだラインセンサや、ＲＧＢの各画素に対応する３つのラインセンサが互いに平行に並んだセンサであってもよい。
【００１４】
反射光学系１０４は、原稿１０１からの光を折り返して結像光学系１０６に導く複数の折り返しミラー１０４ａ〜１０４ｄから成る。結像光学系１０６は、反射光学系１０４からの光を受光部１０５の受光面上に集光し、原稿１０１の画像情報に基づく像を形成する縮小光学系である。駆動部１０８は、キャリッジ１０７を原稿１０１の原稿面（被照射面）に平行なＺ方向（図中の矢印方向）に移動させるための駆動力を発生するモータなどで構成される。
【００１５】
照明装置１０３から出射した光は、原稿１０１の原稿面にて拡散反射され、反射光学系１０４の第１折返しミラー１０４ａ〜第４折返しミラー１０４ｄにより結像光学系１０６に導かれ、受光部１０５の受光面上に集光される。そして、駆動部１０８によりキャリッジ１０７をＺ方向に移動させることによって、キャリッジ１０７に原稿１０１の原稿面をＺ方向において順次読み取らせることができる。これにより、受光部１０５は原稿１０１の原稿面全体の画像情報を線順次方式で読み取ることができる。受光部１０５により読み取られた画像情報は、電気信号としてインターフェースを通じて不図示の画像処理部やパーソナルコンピュータなどの外部機器に送信される。
【００１６】
なお、キャリッジ１０７を移動させる際は、キャリッジ１０７により保持される各部材同士の相対位置は変わらない。また、駆動部１０８によって、キャリッジ１０７の代わりに原稿１０１を移動させたり、キャリッジ１０７及び原稿１０１の両方を移動させたりすることにより、キャリッジ１０７と原稿１０１とのＺ方向における相対位置を変更させてもよい。キャリッジ１０７を移動させずに、原稿のみを移動させて相対位置を変更する場合には、給送ローラーや給送ベルト等を用いることができる。
【００１７】
（照明装置）
ここで、本実施例に係る照明装置１０３について詳細に説明する。図１に示したように、本実施例に係る画像読取装置１００は、同一の照明装置１０３を２つ備えており、夫々の照明装置１０３は読取光軸１０９を挟んで対称的に配置されている。この構成により、原稿面におけるＹ方向に長い線状の読取領域１１０を両側から照明することが可能になる。
【００１８】
照明装置１０３は、光源部１１１と、導光体１１７と、保持部材１１３と、複数の接続部１１４と、押圧部材１１５と、を備えている。図２は照明装置１０３の要部斜視図であり、図２（ａ）は押圧部材１１５が無い状態を示し、図２（ｂ）は押圧部材１１５が設けられた状態を示している。図３は照明装置１０３のＺＸ断面図であり、図３（ａ）は図２（ｂ）におけるＡ−Ａ断面を示す図であり、図３（ｂ）は図２（ｂ）におけるＢ−Ｂ断面を示す図である。
【００１９】
（光源部）
光源部１１１は、導光体１１７の長手方向（第１の方向）に配列された複数の光源（発光素子）を含んでおり、各光源は基板としての保持部材１１３の上に実装されている。各光源は、発光面１１２が保持部材１１３の表面に対して垂直となるように構成された、サイドビュー型の光源である。本実施例では、光源として発光ダイオード（ＬＥＤ）を用いているが、これに限らずＥＬ（Ｅｌｅｃｔｒｏ  Ｌｕｍｉｎｅｓｃｅｎｃｅ）素子などを用いてもよい。光源が出射する光としては白色光が望ましいが、これに限らず赤色、緑色、青色などの光であってもよい。
【００２０】
（導光体）
導光体１１７は、光源部１１１からの光を原稿面の読取領域１１０に導くための部材である。導光体１１７は、光源部１１１からの光が入射する入射面１１８と、入射面１１８からの光が被照射面に向かって出射する出射面１１９と、互いに対向し光源部１１１からの光を出射面１１９に導く第１導光面１２０及び第２導光面１２１と、を有する。本実施例に係る導光体１１７のＺＸ断面内での形状は、第１の方向（Ｙ方向）において一様である。入射面１１８に入射した光は、第１導光面１２０及び第２導光面１２１にて全反射しながら出射面１１９に導かれ、出射面１１９から出射して読取領域１１０を照明する。
【００２１】
導光体１１７の材料としては、ガラスなどの透光性の無機材料や、アクリル樹脂（ＰＭＭＡ）、ポリエステル樹脂、ポリカーボネイト樹脂などの透光性の有機材料を用いることができる。その中でも、プラスチックなどの成型が容易な合成樹脂材料を用いることが好ましく、本実施例においてはアクリル樹脂を採用している。導光体１１７のＺＸ断面の形状は、光源部１１１からの光を原稿面の読取領域１１０に導光することができる形状であれば、本実施例に示したものに限られない。
【００２２】
（保持部材）
光源部１１１における各光源は、発光面１１２の輝度が視点の角度によらず一定となる配光（ランバート配光）を有している。よって、各光源は、発光面１１２の法線方向（最大強度方向）において最大強度の光を出射し、かつその法線方向から±９０度の範囲に広く光を出射している。このとき、導光体１１７の光利用効率を高めるためには、各光源と導光体１１７の入射面１１８との位置関係を正確に保ち、各光源の最大強度方向を適切に設定することが必要になる。
【００２３】
そこで、本実施例では、各光源及び導光体１１７を共通の保持部材１１３により保持している。図２及び図３に示すように、各光源及び導光体１１７は保持部材１１３における同一面により保持されている。前述した通り、本実施例に係る保持部材１１３は、各光源が実装される基板であるが、必要に応じて基板とは異なる部材で構成されていてもよい。保持部材１１３の材料としては、アルミやガラスエポキシなどを用いることができる。
【００２４】
（接続部）
さらに、本実施例に係る照明装置１０３は、複数の接続部（凸部）１１４によって導光体１１７と保持部材１１３とを接続する構成を採っている。図４は、保持部材１１３に設けられる光源部１１１及び接続部１１４を示す図である。本実施例に係る複数の接続部１１４は、保持部材１１３を構成する材料と同じ材料で、保持部材１１３と一体的に構成されているが、凸形状の（厚みがある）部材であればこれに限られるものではない。必要に応じて、複数の接続部１１４を、導光体１１７を構成する材料と同じ材料で、導光体１１７と一体的に構成してもよい。
【００２５】
そして、図４に示すように、複数の接続部１１４の夫々は、Ｙ方向（第１の方向）において隣接する光源の間に配置されている。すなわち、図３（ｂ）に示すように、Ｙ方向において接続部１１４が配置された位置では導光体１１７が保持部材１１３に保持される一方で、図３（ａ）に示すように、Ｙ方向において光源が配置された位置では導光体１１７と保持部材１１３とが離間している。
【００２６】
よって、図３（ａ）の断面内では、導光体１１７と保持部材１１３との間に接続部１１４と同じ厚みの空気層が形成されるため、光源部１１１の発光面１１２から出射した光線Ａ１１は、第１導光面１２０と空気との界面で全反射条件を満たす。この構成により、接続部１１４が配置された位置で導光体１１７を保持部材１１３によって保持しつつ、接続部１１４が配置されていない位置での光の乱反射及び吸収を抑制することができ、照明装置１０３の光利用効率の低下を抑制することが可能になる。
【００２７】
（押圧部材）
本実施例では、押圧部材１１５により導光体１１７を保持部材１１３に対して押圧することによって、入射面１１８の近傍における第１導光面１２０と接続部１１４とを密接させている。これにより、導光体１１７と保持部材１１３との相対的な位置ずれ、すなわち光源部１１１と導光体１１７との相対的な位置ずれを抑制することができる。本実施例に係る押圧部材１１５は、Ｙ方向において一様な凸部１１６を有しており、この凸部１１６のみが第２導光面１２１に接する構成を採っている。
【００２８】
押圧部材１１５に凸部１１６を設けることで、押圧部材１１５が第２導光面１２１に接する面積を小さくすることができ、導光体１１７を効率的に押圧するとともに、第２導光面１２１で全反射条件を満たさなくなる光の発生を抑制することが可能になる。ただし、必要に応じて、押圧部材１１５が凸部を持たない構成や、押圧部材１１５が凸部を複数有する構成などを採ってもよい。押圧部材１１５が複数の凸部を有する場合は、光利用効率の低下を抑制するために、複数の凸部の夫々をＹ方向において隣接する光源の間に配置することが好ましい。
【００２９】
また、本実施例に係る押圧部材１１５は、導光体１１７に対して保持部材１１３とは反対側（第２の導光面１２１の側）に配置されているが、導光体１１７及び保持部材１１３の少なくとも一方を他方に対して押圧する構成であれば、これに限られない。例えば、押圧部材１１５を保持部材１１３に対して導光体１１７とは反対側（接続部とは反対側）に設け、保持部材１１３を導光体１１７に対して押圧する構成を採ってもよい。
【００３０】
なお、照明装置１０３は、導光体１１７と保持部材１１３との相対的な位置ずれを抑制することができる構成であれば、必ずしも押圧部材１１５を備えていなくてもよい。例えば、複数の接続部１１４の夫々に接着剤や両面テープなどの固定部材を設けることで、導光体１１７と保持部材１１３とを接着する構成や、他の部材によりＹ方向における両側から導光体１１７及び保持部材１１３を挟持する構成などを採ってもよい。
【００３１】
（比較例）
本実施例に係る複数の接続部１１４により得られる効果について、比較例を用いて説明する。なお、比較例に係る照明装置において、本実施例に係る照明装置１０３と同様の構成については、説明を省略する。
【００３２】
図１１（ａ）は、比較例１に係る照明装置４０３のＺＸ断面図であり、図１１（ｂ）は、図１１（ａ）におけるＡ部（固定部材４２３の周辺）の拡大図である。図１２は、照明装置４０３が備える保持部材４１３及び光源部４１１を示す図である。比較例１に係る照明装置４０３は、接続部及び押圧部材を備えておらず、白色の両面テープである固定部材４２３によって導光体４１７を保持部材４１３に直接固定しているという点で、本実施例に係る照明装置１０３とは異なる。
【００３３】
比較例１に係る照明装置４０３では、導光体４１７の第１導光面４２０が固定部材４２３に密着しているため、第１導光面４２０及び固定部材４２３の界面は空気でなくなっている。すなわち、第１導光面４２０及び固定部材４２３の界面に入射する光が全反射するために必要な入射角が大きくなってしまう。
【００３４】
図１１（ｂ）に示すように、光源部４１１の発光面４１２から出射した複数の光線Ａ４１の一部は、導光体４１７の入射面４１８を介して固定部材４２３に入射する。固定部材４２３は白色の両面テープであるため、固定部材４２３に到達した光線Ａ４１はその表面でランバート反射する。ここで、固定部材４２３の表面に対して垂直に反射する光線の反射角を０度とし、反射角が０度の光線に対して出射面４１９の側に反射する光線の反射角を正（＋）、反射角が０度の光線に対して入射面４１８の側に反射する光線の反射角を負（−）、とする。
【００３５】
導光体４１７の材料であるアクリル樹脂の屈折率は１．４９であるため、スネルの法則より、導光体４１７の各面に対する臨界角は４２．２度となる。すなわち、ランバート反射した光線Ａ４２のうち、反射角が０度から±４２．２度である光線は、第２導光面４２１において全反射条件を満たさずに、導光体４１７の外部に向かって透過してしまう。よって、本実施例に係る照明装置１０３と比較して、導光体４１７の外部に漏れた光の分だけ原稿面に導光される光が減少するため、比較例１に係る照明装置４０３の光利用効率が低下してしまうことになる。
【００３６】
図１３（ａ）は、比較例２に係る照明装置５０３のＺＸ断面図であり、図１３（ｂ）は、図１３（ａ）におけるＡ部（押圧部材５１５の周辺）の拡大図である。なお、照明装置５０３が備える保持部材３１３及び光源部３１１の構成は、図１２に示した比較例１に係る構成と同様である。比較例２に係る照明装置５０３は、接続部を備えていないという点以外は、本実施例に係る照明装置１０３と同様の構成を採っている。
【００３７】
比較例２に係る照明装置５０３において、押圧部材５１５を用いて導光体５１７を保持部材５１３に固定するには強い圧力が必要になるため、導光体５１７の第１導光面５２０と保持部材５１３とが互いに密接し、その界面は空気でなくなる。すなわち、比較例１と同様に、第１導光面５２０及び保持部材５１３の界面での全反射条件が厳しくなり、その界面に入射する光が全反射するために必要な入射角が大きくなってしまう。
【００３８】
図１３（ｂ）に示すように、光源部５１１の発光面５１２から出射した複数の光線Ａ５１の一部は、導光体５１７の入射面５１８を介して保持部材５１３の表面に入射する。保持部材５１３の表面は、鏡面性及び拡散性を有する緑色の光沢面であり、その反射率は約５０％であるため、保持部材５１３に到達した光線Ａ５１の約５０％は吸収され、約５０％は吸収されずに反射される。保持部材５１３の表面で鏡面反射する光線Ａ５３は、第２導光面５２１において全反射条件を満たすため、導光体５１７の内部を伝播して原稿面に導光される。
【００３９】
一方で、保持部材５１３の表面で拡散反射する光線Ａ５２のうち、反射角が０度から±４２．２度である光線は、比較例１と同様に、第２導光面５２１において全反射条件を満たさずに、導光体５１７の外部に向かって透過してしまう。よって、本実施例に係る照明装置１０３と比較して、保持部材５１３で吸収された光及び導光体５１７の外部に漏れた光の分だけ原稿面に導光される光が減少するため、比較例２に係る照明装置５０３の光利用効率が低下してしまうことになる。
【００４０】
以上、本実施例に係る照明装置１０３によれば、光源部１１１と導光体１１７との位置関係を良好に保ちつつ、光利用効率の低下を抑制することができる。
【００４１】
［実施例２］
以下、本発明の実施例２に係る照明装置及び画像読取装置について詳細に説明する。本実施例に係る画像読取装置は、照明装置以外については実施例１に係る画像読取装置１００の構成と同様であるため、それについての説明は省略する。
【００４２】
図５は照明装置２０３の要部斜視図であり、図５（ａ）は押圧部材２１５が無い状態を示し、図５（ｂ）は押圧部材２１５が設けられた状態を示している。図６は照明装置２０３のＺＸ断面図であり、図６（ａ）は図５（ｂ）におけるＣ−Ｃ断面を示す図であり、図６（ｂ）は図５（ｂ）におけるＤ−Ｄ断面を示す図である。図７は、保持部材２１３に設けられる光源部２１１及び接続部２１４を示す図である。
【００４３】
本実施例に係る照明装置２０３において、実施例１に係る照明装置１０３に対して異なる点は、接続部２１４及び押圧部材２１５に設けられる凸部２１６の構成である。具体的に、本実施例に係る複数の接続部２１４の夫々は、光源基板としての保持部材２１３の電気的なテストに使用するテストランド（テストピン）であり、実施例１と同様にＹ方向において隣接する光源の間に配置されている。また、本実施例に係る押圧部材２１５は、Ｙ方向において隣接する光源の間に配置された複数の凸部２１６を備えている。
【００４４】
図６（ａ）の断面内では、導光体２１７と保持部材２１３との間に接続部２１４と同じ厚みの空気層が形成されるため、光源部２１１の発光面２１２から出射した光線Ａ２１は、第１導光面２２０と空気との界面で全反射条件を満たす。また、導光体２１７と押圧部材２１５との間には凸部２１６と同じ厚みの空気層が形成されるため、光源部２１１の発光面２１２から出射した光線Ａ２１は、第２導光面２２１と空気との界面で全反射条件を満たす。
【００４５】
一方、図６（ｂ）の断面内では、押圧部材２１５の凸部２１６によって第２導光面２２１を押圧することにより、第１導光面２２０を接続部２１４に密接させている。これにより、導光体２１７と保持部材２１３との相対的な位置ずれ、すなわち光源部２１１と導光体２１７との相対的な位置ずれを抑制することができる。
【００４６】
以上、本実施例に係る照明装置２０３によれば、光源２１１と導光体２１７との位置関係を良好に保ちつつ、光利用効率の低下を抑制することができる。
【００４７】
［実施例３］
以下、本発明の実施例３に係る照明装置及び画像読取装置について詳細に説明する。本実施例に係る画像読取装置は、照明装置以外については実施例１に係る画像読取装置１００の構成と同様であるため、それについての説明は省略する。
【００４８】
図８は照明装置３０３の要部斜視図である。図９は照明装置３０３のＺＸ断面図であり、図９（ａ）は図８におけるＥ−Ｅ断面を示す図であり、図９（ｂ）は図８におけるＦ−Ｆ断面を示す図である。図１０は、保持部材３１３に設けられる光源部３１１及び接続部３１４を示す図である。
【００４９】
本実施例に係る照明装置３０３において、実施例１に係る照明装置１０３に対して異なる点は、接続部３１４及び押圧部材３２２の構成である。具体的に、本実施例に係る複数の接続部３１４の夫々は、保持部材３１３の表面に印刷されたインク（例えば、シルク印刷によって形成された文字）であり、実施例１と同様にＹ方向において隣接する光源の間に配置されている。また、本実施例に係る押圧部材３２２は、保持部材３１３に対して第１導光面３２０とは反対側に配置されており、保持部材３１３を導光体３１７に対して押圧している。
【００５０】
押圧部材３２２は、導光体３１７を構成する材料と同じ材料で構成されており、その一部は導光体３１７と一体的に形成されている。この構成を採用することで、導光体３１７と押圧部材３２２とを一体成型することが可能になる。この構成では、押圧部材を第２導光面３２１に接触させることによる光利用効率の低下を抑制することができるが、第１導光面３２０と押圧部材３２２との接続部分が空気ではなくなるため、その部分での全反射条件が厳しくなってしまう。そこで、本実施例では、複数の押圧部材３２２を離散的に設け、各押圧部材３２２の夫々をＹ方向において隣接する光源の間に配置することで、光利用効率の低下を抑制している。
【００５１】
図９（ａ）の断面内では、導光体３１７と保持部材３１３との間に接続部３１４と同じ厚みの空気層が形成されるため、光源部３１１の発光面３１２から出射した光線Ａ３１は、第１導光面３２０と空気との界面で全反射条件を満たす。また、図９（ｂ）の断面内では、導光体３１７と押圧部材３２２とで保持部材３１３を挟持し、押圧部材３２２によって保持部材３１３を押圧することにより、接続部３１４を第１導光面３２０に密接させている。これにより、導光体３１７と保持部材３１３との相対的な位置ずれ、すなわち光源部３１１と導光体３１７との相対的な位置ずれを抑制することができる。
【００５２】
以上、本実施例に係る照明装置３０３によれば、光源３１１と導光体３１７との位置関係を良好に保ちつつ、光利用効率の低下を抑制することができる。
【００５３】
［変形例］
以上、本発明の好ましい実施形態及び実施例について説明したが、本発明はこれらの実施形態及び実施例に限定されず、その要旨の範囲内で種々の組合せ、変形及び変更が可能である。
【００５４】
例えば、上述した各実施例では、全ての隣接する光源の間に接続部が１つずつ配置されているが、導光体を保持することができるのであれば、接続部が配置されていない場所や、２つ以上の接続部が配置されている場所があってもよい。同様に、実施例２に係る押圧部材２１５の複数の凸部２１６や、実施例３に係る複数の押圧部材３２２についても、配置されていない場所や、２つ以上配置されている場所があってもよい。
【００５５】
なお、必要に応じて、一部の接続部を、第１の方向において光源と重なる位置（隣接する光源の間ではない位置）に配置してもよい。ただし、一般的に高い読取画質が求められるのは、読取対象の原稿における端部よりも中心部であるため、少なくとも、第１の方向における導光体の中央に最も近い位置に配置された光源には重ならないように、接続部を配置することが望ましい。また、第１の方向における光源の中央を含み第１の方向に垂直な断面内（最大強度方向を含む断面内）においては、接続部が存在しない（導光体と保持部材との間が空気層である）ようにすることが望ましい。
【００５６】
実施例１及び２において、押圧部材は光源の後方まで伸びて保持部材に固定されているが、これに限らず、他の部材（キャリッジ等）に固定してもよい。また、実施例１及び２においても、実施例３と同様に押圧部材を複数備える構成を採ってもよい。必要に応じて、実施例３に係る押圧部材に、実施例１又は２と同様の凸部を設けてもよい。すなわち、各実施例に係る押圧部材の構成は、導光体と保持部材との位置関係を良好に保つことができる構成であれば、上述したものに限られない。
【００５７】
また、上述した実施形態に係る画像読取装置においては、読取光軸を挟んで２つの照明装置を対称的に配置しているが、この構成に限られるものではない。例えば、一方の照明装置における導光体に出射面を２つ設け、他方の照明装置の代わりに反射部材を配置した構成を採ってもよい。この場合、一方の出射面から出射した光を直接原稿面に導光し、かつ他方の出射面から出射した光を反射部材により偏向して原稿面に導光することで、読取光軸を挟んで両側から原稿面を照明することができる。
【符号の説明】
【００５８】
１０３  照明装置
１１１  光源部（複数の光源）
１１３  保持部材
１１４  接続部
１１７  導光体
【図１】
2018088613.tif 000003
【図２】
2018088613.tif 000004
【図３】
2018088613.tif 000005
【図４】
2018088613.tif 000006
【図５】
2018088613.tif 000007
【図６】
2018088613.tif 000008
【図７】
2018088613.tif 000009
【図８】
2018088613.tif 000010
【図９】
2018088613.tif 000011
【図１０】
2018088613.tif 000012
【図１１】
2018088613.tif 000013
【図１２】
2018088613.tif 000014
【図１３】
2018088613.tif 000015